(57)【特許請求の範囲】
【請求項１】
外枠(A)に組付けられる前枠(B)の開口面域(11)内部に設けられた遊技補助盤(20)に対してパチンコゲームを展開し得る遊技盤(D)が上下の向きに合わせてセットされてスピーカ(50)を利用してパチンコゲームに係る効果音を発生し得るようにしたパチンコ遊技機において、
前記遊技補助盤(20)の前側に着脱可能に取着される１つのケース体(31)に形成され、前記スピーカ(50)を後方から出入れし得る収容室(33)が該スピーカ(50)におけるコーン部(51)の外周縁が整合する大きさで開口した筒部(32)と、
前記筒部(32)の周囲に周方向に等間隔で設けられた複数の係合支片(38)と、
前記筒部(32)の前方開口面内側において前記係合支片(38)を設けた部位を除く全周に亘って形成され、該筒部(32)の内方へ向けて延出する係合部(37)とを備え、
前記各係合支片(38)は、前記筒部(32)の前方開口端部から２本の溝を後方へ切込むことで、両溝の間に該筒部(32)の内外方向へ弾性変形可能に形成され、その前端部が前記係合部(37)が設けられていない部位から前方に臨むと共に、前記スピーカ(50)におけるコーン部(51)の外周縁に後方から係合し得る係合部(39)を備え、
前記係合部(39)は、後方から前方へかけて筒部(32)の内方へ傾斜する傾斜面を備えた断面直角三角形状に形成され、
前記収容室(33)内に収容したスピーカ(50)について、コーン部(51)の外周前縁部を前記係合部(37)に係合して位置決めしたもとで、前記係合支片(38)の係合部(39)をコーン部(51)の外周後縁部に係合して固定化保持すると共に、
前記ケース体(31)における筒部(32)の側方に、該筒部(32)から離間する方向に向けて下がる傾斜面(35)および該傾斜面(35)より上方に延出する前壁(36)を有する球受け案内部(34)を一体的に形成し、
前記球受け案内部(34)は、ケース体(31)を前記遊技補助盤(20)に取着した際に該遊技補助盤(20)に形成した賞球用の給出口(22)の下方であって、遊技補助盤(20)に形成した回収口(24)の側方に位置し、給出口(22)から落下する賞球を球受け案内部(34)で受止めて回収口(24)へと案内するようにした
ことを特徴とするパチンコ遊技機における効果音発生装置。
【発明の詳細な説明】
【０００１】
【発明の属する技術分野】
この発明は、縦向き状態で遊技に供されるパチンコ遊技機において、機内にセットされた遊技盤内で展開されるパチンコゲームに対する効果音を発生するパチンコ遊技機における効果音発生装置に関するものである。
【０００２】
【従来の技術】
パチンコ機に代表される縦向き状態で遊技に供されるパチンコ遊技機では、打球発射装置により球皿内のパチンコ球を機内にセットされた遊技盤内へ打出し、該遊技盤内で所要のパチンコゲームが展開されるようになっている。そして各種形態のパチンコ機では、何れもそのパチンコゲーム中に発生される様々な遊技状態(所定入賞口への入賞時、図柄可変表示装置の作動時、特別遊技条件の成立時、入賞装置の作動時等)に対して、適宜の効果音を発生させて遊技者に対して報知したり興趣を高めるための手段として、例えばスピーカが実施に供されている。このスピーカの好適な設置部位としては、一般的には、前枠の内側、特に遊技補助盤の前側部分とされる場合が多い。
【０００３】
【発明が解決しようとする課題】
ところで前記スピーカは、所要形状に成形されたケース体の収容室内にセット保持され、このケース体単位で前記遊技補助盤へ設置されるようになっている。しかるに前記ケース体は、前面側に開口する前記収容室を形成した本体と、この本体の前面側に装着されて前記収容室を覆蓋する蓋体とから構成されており、本体の前側から収容室内へ収容セットされたスピーカは、前記蓋体により保持されるようになっている。従って、スピーカをセット保持する前記ケース体が、本体と蓋体の２部品から構成されているため、製造コストが嵩むものとなっていた。しかも収容室内に対して前側からセットしたスピーカは、ビス等を利用して固定するようになっているため、該スピーカの組付け作業および組外し作業の合理化や簡単化を図り得ない欠点等も指摘される。
【０００４】
【発明の目的】
本発明は、前述した課題を好適に解決するべく新規に提案されたものであって、１つのケース体に対してスピーカを手早く簡単に収容して固定化保持してケース体単位で容易に実施できるようにしたパチンコ遊技機における効果音発生装置を提供することを目的とする。
【０００５】
【課題を解決するための手段】
前述した課題を克服し、所期の目的を達成するため本発明に係るパチンコ遊技機における効果音発生装置は、
外枠に組付けられる前枠の開口面域内部に設けられた遊技補助盤に対してパチンコゲームを展開し得る遊技盤が上下の向きに合わせてセットされてスピーカを利用してパチンコゲームに係る効果音を発生し得るようにしたパチンコ遊技機において、
前記遊技補助盤の前側に着脱可能に取着される１つのケース体に形成され、前記スピーカを後方から出入れし得る収容室が該スピーカにおけるコーン部の外周縁が整合する大きさで開口した筒部と、
前記筒部の周囲に周方向に等間隔で設けられた複数の係合支片と、
前記筒部の前方開口面内側において前記係合支片を設けた部位を除く全周に亘って形成され、該筒部の内方へ向けて延出する係合部とを備え、
前記各係合支片は、前記筒部の前方開口端部から２本の溝を後方へ切込むことで、両溝の間に該筒部の内外方向へ弾性変形可能に形成され、その前端部が前記係合部が設けられていない部位から前方に臨むと共に、前記スピーカにおけるコーン部の外周縁に後方から係合し得る係合部を備え、
前記係合部は、後方から前方へかけて筒部の内方へ傾斜する傾斜面を備えた断面直角三角形状に形成され、
前記収容室内に収容したスピーカについて、コーン部の外周前縁部を前記係合部に係合して位置決めしたもとで、前記係合支片の係合部をコーン部の外周後縁部に係合して固定化保持すると共に、
前記ケース体における筒部の側方に、該筒部から離間する方向に向けて下がる傾斜面および該傾斜面より上方に延出する前壁を有する球受け案内部を一体的に形成し、
前記球受け案内部は、ケース体を前記遊技補助盤に取着した際に該遊技補助盤に形成した賞球用の給出口の下方であって、遊技補助盤に形成した回収口の側方に位置し、給出口から落下する賞球を球受け案内部で受止めて回収口へと案内するようにしたことを特徴とする。
【０００６】
【作用】
効果音発生装置は、１つのケース体と、このケース体にセットされるスピーカとから構成される。ケース体には、スピーカを収容する収容室を形成した筒部を有し、この筒部には、スピーカを固定化保持するための係合部が形成してある。従ってスピーカは、前記収容室に押込むだけでビス等を一切使用せずに固定化保持され、組付け作業の合理化および簡単化が図られる。また、ケース体が単一部材で構成されるので、製造コストの低減も図られる。更に、給出口から零れ落ちた賞球をケース体に形成した球受け案内部で当て受けて、該賞球を回収口へ速やかに通出案内する。
【０００７】
【発明の実施の形態】
次に、本発明に係るパチンコ遊技機における効果音発生装置につき、好適な実施例を挙げて、添付図面を参照しながら以下詳細に説明する。なお本実施例では、縦型遊技機として、遊技店内の設置枠台(島)に所定の縦向き後傾姿勢に固定保持されて遊技に供されるパチンコ機を主に示す。
【０００８】
(パチンコ機の概略説明)
本実施例のパチンコ機Ｐは、その基本的構成の概要として図１に略示するように、外郭保持枠をなす縦長矩形状の外枠Ａの開口前面側に、各種の遊技用構成部材をセットする縦長方形の前枠Ｂが、所要の開閉連結支持部および施錠手段を利用して横開き形態で開閉および着脱が可能に組付けられている。そしてこの前枠Ｂの前面側に、遊技盤Ｄの透視保護窓である後述のガラス扉Ｃと、上球皿Ｅを固定装備した開閉板とが、所要の開閉連結支持部を利用して共に横開き形態で開閉可能に組付け整合される。また、前枠Ｂの下部に下球皿Ｆおよび打球発射装置Ｇにおける打球操作部Ｇ1等が装着セットされ、更に前枠Ｂの裏側に各種の球経路および球処理・払出部等を備えた機構セット盤(図示せず)がセットされ、これにより一台のパチンコ機が形成される。
【０００９】
(前枠)
前記前枠Ｂは、図２〜図４に示すように、全体が合成樹脂成形されたものが例示され、前記外枠Ａの開口前面域に整合する外形サイズに成形されて内側に正面縦長方形の窓枠口(開口面域)１１を開口した枠体１０と、この枠体１０の裏側に一体成形されて前記窓枠口１１の正面内部に臨む遊技盤用のセット口１３を開口したセット保持枠１２とが、前後に一体的に連設された内外二重枠形態とされている。そして前記枠体１０においては、窓枠口１１の下部に下球皿Ｆや前記打球発射装置Ｇの打球発射部Ｇ2等を設置するための設置盤１４が成形される一方、その中央部に賞球用の給出口１５が開口され、また窓枠口１１の上縁部および右縁部に亘り電光装飾部１６を設置するための設置部１７が成形されている。また前記窓枠口１１は、前面側から出入れ(着脱)される遊技盤Ｄのセット面域および出入れ口ともされ、その下部開口面域内に上球皿Ｅ(開閉板)を開閉可能に組付けセットし得るようになっている。そして、窓枠口１１の開口前面の３周縁(上縁および左右の側縁)を凹設して、ガラス扉Ｃを整合収容し得るセット面域１８が画成されている。
【００１０】
一方、前記セット保持枠１２においては、図２〜図４に示すように、窓枠口１１の下部内側において前記上球皿Ｅに整合する位置に遊技補助盤(「遊技補助枠部」とも云う)２０が一体成形されており、この遊技補助盤２０の上端縁を基準にして前記セット口１３が開口されている。このセット口１３における内周４ヶ所の隅部には、略４５度に形成された斜状壁部２７がセット保持枠１２に一体的に形成されており、これら各斜状壁部には、遊技盤Ｄ固定用の取付装置Ｈが設置されている。なお、このセット口１３の内周端面に、遊技盤Ｄに対する位置決め用の突座１９,１９が形成されている。ちなみに前枠Ｂは、枠体１０で構成されるタイプのものとして、窓枠口１１の裏側に別成形されたセット保持枠１２を整合固定するものであってもよい。
【００１１】
前記遊技補助盤２０には、その裏側にアウト路２１が形成される他に、前面側に賞球用の給出口２２やファール球回収路２３および回収口２４等が成形されると共に、このファール球回収路２３の前側には、前面カバー部材２５が組付けられる(図５参照)。また正面右側には、発射レール部材２６が取着されると共に、正面左側には、後述する効果音発生装置３０が取着されている。
【００１２】
(効果音発生装置)
次に、本実施例に係る効果音発生装置につき、図５〜図８を参照しながら説明する。この効果音発生装置３０は、図７に示すように、前記遊技補助盤２０の前側に着脱可能に取着される１つのケース体３１と、このケース体３１の収容室３３に収容セットされるスピーカ５０とからなり、１つのユニット化部材として構成されると共に取扱い得るようになっている。
【００１３】
前記ケース体３１には、前記スピーカ５０のコーン部５１の直径サイズを前提として、前方に開口すると共に該スピーカ５０を後側から出入れし得る前記収容室３３を開口した筒部３２が形成されると共に、この筒部３２の側方(正面右側)に、適宜右下がりの傾斜面３５および前壁３６を有する球受け案内部３４が一体的に形成されている。そして前記筒部３２では、その開口面内側に、全周に亘って半径方向内方へ延出して前記スピーカ５０のコーン部５１の外周前縁部と係合し得る係合部３７が形成される一方、内周囲の複数部位(実施例では３箇所)には、スピーカ５０のコーン部５１の外周後縁部と係合し得る鉤状の係合部３９を有する係合支片３８が、筒部３２の内外方向へ弾性変形可能に形成されている。すなわち、筒部３２の後方側から収容室３３内へ収容したスピーカ５０は、前記コーン部５１の外周前縁部が前記係合部３７に係合して位置決めされた際に、前記各係合支片３８の係合部３９がコーン部５１の外周後縁部に係合して、収容室３３内に着脱可能に固定化保持されるようになっている。
【００１４】
また前記球受け案内部３４は、前記ケース体３１が前記遊技補助盤２０の正面左側部位に取着された際に前記給出口２２の下方に位置し、上球皿Ｅを開放した際に該給出口２２から落下する賞球を受止めて、前記回収口２４側へ通出案内するようになっている。そして、前記筒部３２の上縁部および前記球受け案内部３４の下縁部には、前記遊技補助盤２０から前方へ延出したボス(図５参照)４６,４６が嵌挿する嵌合孔４１が形成された膨出部４０が一体成形され、また各膨出部４０には、ケース体３１を該ボス４６へ固定するビス４７を挿通するビス孔４２が形成されている。更に筒部３２の左外面部には、スピーカ５０に接続されるリード線(図示せず)を係止する係止片４３が一体成形されている。なお前記ケース体３１では、前記球受け案内部３４の内部に画成された空間部３４ａに、音量調整器を内蔵するようにしてもよい。また前記遊技補助盤２０では、前記ケース体３１の筒部３２に整合する位置に円形開口部２９が形成され、例えば収容室３３にセットしたスピーカ５０の後部が該収容室３３から突出している場合に、該スピーカ５０との干渉が回避されるようになっている。更に前記上球皿Ｅでは、前記スピーカ５０に対応する位置に、複数の小孔からなる透音孔４５が形成してある。
【００１５】
【実施例の作用】
次に、前述のように構成された本実施例に係るパチンコ遊技機における効果音発生装置の作用につき説明する。
【００１６】
(スピーカのセット)
本実施例の効果音発生装置３０では、コーン部５１を前面に指向させたスピーカ５０を、ケース体３１の筒部３２の後方側から収容室３３内に押込んでセットする。すなわち、コーン部５１が各係合支片３８の係合部３９に当接した際に、各係合支片３８が半径方向外方へ拡開的に弾性変形するようになるので、スピーカ５０の装着が許容される。そして、前記コーン部５１の外周前縁部が前記係合部３７に係合して位置決めされた際には、該コーン部５１と各係合支片３８の係合部３９との当接が解除されるので、各係合支片３８は元の状態に弾性復帰して、各係合部３９がコーン部５１の外周後縁部に係合するに至る。これによりスピーカ５０は、コーン部５１に対する前記係合部３７と各係合支片３８の係合部３９との係合により、収容室３３内で好適に固定化保持される。このように本実施例の効果音発生装置３０では、筒部３２の後側からスピーカ５０を収容室３３内へ押込むだけで該スピーカ５０をケース体３１にセットし得、ビス等を一切使用せずにワンタッチで簡単かつ容易に作業を行なうことができるから、スピーカの組付け作業の合理化や簡単化が図られる。
【００１７】
(効果音発生装置の取着)
スピーカ５０をケース体３１の収容室３３にセットしてユニット化部材とされた前記効果音発生装置３０は、図５に示すように、遊技補助盤２０の前面左側に取着する。すなわち、遊技補助盤２０から前方へ延出した各ボス４６に、ケース体３１の各膨出部４０に形成した嵌合孔４１を整合させ、この状態でケース体３１を後方側へ押込むことにより、夫々の嵌合孔４１に対応のボス４６が嵌挿してケース体３１が仮固定される。そして、各膨出部４０に形成したビス孔４２を介してボス４６にビス４７を締め込むことにより、効果音発生装置３０は遊技補助盤２０にがたつきなく好適に固定される。このように本実施例の効果音発生装置３０では、遊技補助盤２０に位置決めしてビス止めするだけの単純な作業で、ケース体３１を該補助盤２０に設置し得るものである。なおスピーカ５０は、パチンコ遊技全般を制御する電子制御基板(図示せず)の所要部と結線されて、電気的な連結が図られる。
【００１８】
そして、前記効果音発生装置３０を装備した本実施例のパチンコ機Ｐでは、パチンコゲーム中における様々な遊技状態時に対して前記スピーカ５０が作動され、これによりコーン部５１から発生される効果音は、上球皿Ｅの透音孔４５を介して前方へ透過放出され、当該パチンコ機Ｐの遊技者に報知して遊技内容に対する聴覚的効果を付加するようになる。
【００１９】
また、スピーカ５０に異常が発生したり故障して交換を要する場合には、上球皿Ｅを開放した状態において、前側からビス４７を弛み外して遊技補助盤２０からケース体３１を取外した後に、スピーカ５０を収容室３３の後方側へ強めに引っ張ることにより、各係合支片３８が半径方向外方へ弾性変形して夫々の係合部３９とコーン部５１との係合が解除されるので、当該スピーカ５０はワンタッチで簡単かつ容易に取外し得る。従って、実施例の効果音発生装置３０では、スピーカの取外しにビスの弛み外し作業等を伴わないので、該スピーカ５０の取外し作業の合理化や簡単化をも図り得る。
【００２０】
一方、パチンコゲームに供されている際に、故障修理やメンテナンス等により前記上球皿Ｅを開放した場合には、該上球皿Ｅ側の連通口と遊技補助盤２０側の前記給出口２２とが分離非連通となることにより、該給出口２２内の賞球が前方へ零れ落ちることがある。この零れ球は、本実施例の効果音発生装置３０におけるケース体３１の前記球受け案内部３４に好適に当て受けられ、前記回収口２４へ速やかに通出案内される。そして零れ球は、前記回収口２４を介して裏側から下球皿Ｆ側へ排出される。なお前記スピーカ５０は、ケース体３１の収容室３３内に収容保護されているので、零れ球の落下衝撃等に対して一切の影響を受けることがなく、また何等の弊害を招来することもない。
【００２１】
また本実施例の効果音発生装置３０では、ケース体３１にスピーカ５０を組込むことにより、全体をケース体単位のユニット化部材として取扱い得るので、保管および搬送等が容易になる。
【００２２】
【発明の効果】
以上説明した如く、本発明に係るパチンコ遊技機における効果音発生装置によれば、スピーカをセット保持するケース体が１つの単一部材から構成されているため、部品点数の減少による製造コスト低減を図り得る利点がある。また、収容室に対するスピーカの取付けおよび取外しは、ビス等を一切使用することなくワンタッチで固定し得るようになっているため、該スピーカの組付け作業および組外し作業の合理化や簡単化を図り得る利点もある。しかも、ケース体単位のユニット化部材として取扱い得るので、保管および搬送等が容易になる等の効果も奏する。また、給出口から零れ落ちた賞球を球受け案内部で当て受けて、回収口へ速やかに通出案内することができる。
【図面の簡単な説明】
【図１】本実施例のパチンコ機を概略で示す正面図である。
【図２】本実施例のパチンコ機における前枠を概略で示す正面図である。
【図３】枠体の設置盤およびセット保持枠の遊技補助盤を示す正面図である。
【図４】枠体の設置盤およびセット保持枠の遊技補助盤を示す背面図である。
【図５】本実施例の効果音発生装置を遊技補助盤に組付ける形態を概略で示す斜視図である。
【図６】遊技補助盤に設置した効果音発生装置を、ケース体における収容室部位で破断して示す側断面図である。
【図７】効果音発生装置を構成するケース体およびスピーカを示す斜視図である。
【図８】効果音発生装置を構成するケース体を示す正面図である。
【符号の説明】
１１ 窓枠口(開口面域)
２０ 遊技補助盤
２２ 給出口
２４ 回収口
３１ ケース体
３２ 筒部
３３ 収容室
３４ 球受け案内部
３５ 傾斜面
３６ 前壁
３７ 係合部
３８ 係合支片
３９ 係合部
５０ スピーカ
５１ コーン部
Ａ 外枠
Ｂ 前枠
Ｄ 遊技盤
【図１】
0004029243.tif 000002
【図２】
0004029243.tif 000003
【図３】
0004029243.tif 000004
【図４】
0004029243.tif 000005
【図５】
0004029243.tif 000006
【図６】
0004029243.tif 000007
【図７】
0004029243.tif 000008
【図８】
0004029243.tif 000009